(57)【特許請求の範囲】
【請求項１】
押捺全掌掌紋データベースから押捺全掌掌紋を読み出すステップと、
前記押捺全掌掌紋と遺留掌紋の全体とを照合するステップと、
押捺側掌掌紋データベースから前記押捺全掌掌紋に隣接した押捺側掌掌紋を読み出すステップと、
前記押捺側掌掌紋と前記遺留掌紋の全体とを照合するステップと、
前記２つの照合のステップで、照合一致が得られなかった場合に、前記押捺全掌掌紋の全部又は前記押捺側掌掌紋に隣接する部分と前記押捺側掌掌紋の全部又は前記押捺全掌掌紋に隣接する部分を結合して、押印結合掌紋を生成するステップと、
前記押捺結合掌紋と前記遺留掌紋の全体とを照合するステップと、
を有することを特徴とする掌紋照合方法。
【請求項２】
押捺全掌掌紋データベースから押捺全掌掌紋を読み出すステップと、
前記押捺全掌掌紋と遺留掌紋の全体とを照合するステップと、
押捺側掌掌紋データベースから前記押捺全掌掌紋に隣接した側掌掌紋を読み出すステップと、
前記押捺側掌掌紋と前記遺留掌紋の全体とを照合するステップと、
前記２つの照合のステップで、照合一致が得られなかった場合に、前記押捺全掌掌紋の全部又は前記押捺側掌掌紋に隣接する部分と前記押捺側掌掌紋の全部又は前記押捺全掌掌紋に隣接する部分を結合して、押印結合掌紋を生成するステップと、
前記押捺結合掌紋と遺留掌紋の全体とを照合するステップと、
を有する掌紋照合方法をコンピュータに実行させるためのプログラム。
【請求項３】
押捺掌紋データベースから押捺全掌掌紋を読み出す手段と、
前記押捺全掌掌紋と遺留掌紋の全体とを照合する手段と、
押捺側掌掌紋データベースから前記押捺全掌掌紋に隣接した側掌掌紋を読み出す手段と、
前記押捺側掌掌紋と前記遺留掌紋の全体とを照合する手段と、
前記２つの照合手段で、照合一致が得られなかった場合に、前記押捺全掌掌紋の全部又は前記側掌掌紋に隣接する部分と前記押捺側掌掌紋の全部又は前記押捺全掌掌紋に隣接する部分を結合して、押印結合掌紋を生成する手段と、
前記押捺結合掌紋と遺留掌紋の全体とを照合する手段と、
を備えることを特徴とする掌紋照合方式。
【発明の詳細な説明】
【０００１】
【発明の属する技術分野】
本発明は、事件現場等に残された遺留掌紋とデータベースに蓄積されている掌紋とを照合して、その遺留掌紋を有する者を特定するための掌紋照合方法及びその方式に関する。
【０００２】
【従来の技術】
従来指紋による照合に頼ってきた犯罪捜査の分野で、近年掌の紋様（掌紋）による照合の重要性が認められ始めている。
【０００３】
【発明が解決しようとする課題】
掌紋照合方式も指紋照合方式と同様に、コンピュータ化されているため、遺留掌紋がデータベースに蓄積されている全掌掌紋の一部又は側掌掌紋の一部と一致する場合には、高い精度で遺留掌紋を有する者を特定することができるが、遺留掌紋が全掌掌紋と側掌掌紋に跨る場合には、高い精度で遺留掌紋を有する者を特定することが出来なかった。
【０００４】
即ち、図３を参照すると、遺留掌紋を全掌掌紋の一部と照合するので、全掌掌紋の一部が遺留掌紋の一部と一致しても、遺留掌紋の他の部分が何と一致するかが不明であるので、遺留掌紋を保有する者を特定することが出来なかった。同様に、図４を参照すると、遺留掌紋と側掌掌紋の一部を照合するので、側掌掌紋の一部が遺留掌紋の一部と一致しても、遺留掌紋の他の部分が何と一致するかが不明であるので、遺留掌紋を保有する者を特定することが出来なかった。
【０００５】
本発明は、遺留掌紋が全掌掌紋と側掌掌紋に跨る場合であっても、高い精度で遺留掌紋を有する者を特定することを可能とする掌紋照合方法及びその方式を提供することを目的とする。
【０００６】
【課題を解決するための手段】
本発明の第１の観点によれば、押捺全掌掌紋データベースから押捺全掌掌紋を読み出すステップと、前記押捺全掌掌紋と遺留掌紋の全体とを照合するステップと、押捺側掌掌紋データベースから前記押捺全掌掌紋に隣接した押捺側掌掌紋を読み出すステップと、前記押捺側掌掌紋と前記遺留掌紋の全体とを照合するステップと、前記２つの照合のステップで、照合一致が得られなかった場合に、前記押捺全掌掌紋の全部又は前記押捺側掌掌紋に隣接する部分と前記押捺側掌掌紋の全部又は前記押捺全掌掌紋に隣接する部分を結合して、押印結合掌紋を生成するステップと、前記押捺結合掌紋と前記遺留掌紋の全体とを照合するステップと、を有することを特徴とする掌紋照合方法が提供される。
【０００９】
本発明の第２の観点によれば、押捺全掌掌紋データベースから押捺全掌掌紋を読み出すステップと、前記押捺全掌掌紋と遺留掌紋の全体とを照合するステップと、押捺側掌掌紋データベースから前記押捺全掌掌紋に隣接した押捺側掌掌紋を読み出すステップと、前記押捺側掌掌紋と前記遺留掌紋の全体とを照合するステップと、前記２つの照合のステップで、照合一致が得られなかった場合に、前記押捺全掌掌紋の全部又は前記押捺側掌掌紋に隣接する部分と前記押捺側掌掌紋の全部又は前記押捺全掌掌紋に隣接する部分を結合して、押印結合掌紋を生成するステップと、前記押捺結合掌紋と前記遺留掌紋の全体とを照合するステップと、を有することを特徴とする掌紋照合方法をコンピュータに実行させるためのプログラムが提供される。
【００１２】
本発明の第３の観点によれば、押捺掌紋データベースから押捺全掌掌紋を読み出す手段と、前記押捺全掌掌紋と遺留掌紋の全体とを照合する手段と、押捺側掌掌紋データベースから前記押捺全掌掌紋に隣接した側掌掌紋を読み出す手段と、前記押捺側掌掌紋と前記遺留掌紋の全体とを照合する手段と、前記２つの照合手段で、照合一致が得られなかった場合に、前記押捺全掌掌紋の全部又は前記側掌掌紋に隣接する部分と前記押捺側掌掌紋の全部又は前記押捺全掌掌紋に隣接する部分を結合して、押印結合掌紋を生成する手段と、前記押捺結合掌紋と遺留掌紋の全体とを照合する手段と、を備えることを特徴とする掌紋照合方式が提供される。
【００１５】
【発明の実施の形態】
以下、図面を参照して本発明の実施形態について詳細に説明する。
【００１６】
図１は、本発明の実施形態による掌紋照合方式の構成を示すブロック図である。
【００１７】
図１を参照すると、本実施形態による掌紋照合方式は、遺留掌紋を光学的に読み込む遺留掌紋読込手段１０１、少なくとも一人（通常は多数の者）の氏名、住所等の個人情報並びにその者の捺印全掌掌紋及び捺印側掌掌紋を関連付けて記憶する掌紋データベース１０２、捺印全掌掌紋を掌紋データベース１０２から読み込んで、読み込んだ捺印全掌掌紋と遺留掌紋読込手段１０１が読み込んだ遺留掌紋とを照合する全掌掌紋照合手段１０３、押印側掌掌紋を掌紋データベース１０２から読み込んで、読み込んだ捺印側掌掌紋と遺留掌紋読込装置１０１が読み込んだ遺留掌紋とを照合する側掌掌紋照合手段１０４、押印全掌掌紋及び押印側掌掌紋を掌紋データベース１０２から読み込んで、読み込んだ押印全掌掌紋の全部又は一部（通常は一部）及び押印側掌掌紋の全部又は一部（通常は一部）を結合して、押印結合掌紋を生成する結合掌紋生成手段１０５、結合掌紋生成手段１０５が生成した押印結合掌紋を遺留掌紋読込手段１０１が読み込んだ遺留掌紋と照合する結合掌紋照合手段１０６、全掌掌紋照合手段１０３、側掌掌紋照合手段１０４及び結合掌紋照合手段１０６の照合結果を受けて、それらを処理し、最終的な照合結果を出力する照合結果処理手段１０７を備える。
【００１８】
次に、本発明の実施形態による掌紋照合方式の行う掌紋照合方法を図２を参照して説明する。
【００１９】
図２に示すフローチャートは掌紋データベースに個人情報等が記録されている一人の者についての処理を示すものであり、実際には、掌紋データベースに個人情報等が記録されている全ての者又は所定の条件を満たす一部の者について、図２に示す処理が行われる。
【００２０】
図２を参照すると、まず、遺留掌紋読込手段１０１は、遺留掌紋を光学的に読み込む（Ｓ２０１）。次に、全掌掌紋照合手段１０３は、掌紋データベース１０２から押印全掌掌紋を読み込む（Ｓ２０２）。次に、全掌掌紋照合手段１０３は、遺留掌紋と押印全掌掌紋の各部を照合し、遺留掌紋と押印全掌掌紋の何れかの部分が一致するか否かを判断する（Ｓ２０３）。Ｓ２０３の判断結果が肯定的であればＳ２１０（後述）に進む。Ｓ２０３の判断結果が否定的であれば、側掌掌紋照合手段１０４は、掌紋データベース１０２から押印側掌掌紋を読み込む（Ｓ２０４）。次に、側掌掌紋照合手段１０４は、遺留掌紋と押印側掌掌紋の各部を照合し、遺留掌紋と押印側掌掌紋の何れかの部分が一致するか否かを判断する（Ｓ２０５）。Ｓ２０５の判断結果が肯定的であれば、Ｓ２１０（後述）に進む。Ｓ２０５の判断結果が否定的であれば、結合掌紋生成手段１０５は、掌紋データベース１０２から押印全掌掌紋を読み込み（Ｓ２０６）、押印側掌掌紋を読み込む（Ｓ２０７）。
【００２１】
次に、結合掌紋生成手段１０５は、読み込んだ押印全掌掌紋の押印側掌掌紋に隣接する部分と押印側掌掌紋の押印全掌掌紋に隣接する部分を結合して、押印結合掌紋を生成する（Ｓ２０８）。
【００２２】
なお、Ｓ２０８で、結合掌紋生成手段１０５は、読み込んだ押印全掌掌紋の全部と押印側掌掌紋の全部を結合して、押印結合掌紋を生成する（Ｓ２０８）。この場合には、Ｓ２０１乃至Ｓ２０５は不要となる。
【００２３】
次に、結合掌紋照合手段１０６は、遺留掌紋と押印結合掌紋の各部を照合し、遺留掌紋と押印結合掌紋の何れかの部分が一致するか否かを判断する（Ｓ２０９）。Ｓ２０９の判断結果が肯定的であればＳ２１０に進み、そうでなければ対象となっている者の押印掌紋と遺留掌紋との照合を終了する。Ｓ２１０では、照合結果処理手段１０７が、遺留掌紋と一致した押印掌紋に対応した者の個人情報を掌紋データベース１０２から検索して、照合結果として出力する。
【００２４】
なお、上記の掌紋照合方式の図１に示す各部の行う図２に示す上記の方法は、コンピュータにその方法を実行させるためのコンピュータプログラムをコンピュータが記録媒体から読み込んで、又は、ＡＳＰ（Ａｐｐｌｉｃａｔｉｏｎ  Ｓｅｒｖｅｒ  Ｐｒｏｖｉｄｅｒ）等からインターネット等のネットワークを介して受信して、実行することによっても実現することができる。
【００２５】
【発明の効果】
本発明の効果について図３乃至５を参照して説明する。
【００２６】
遺留掌紋が全掌掌紋と遺留掌紋に跨っている場合、押印全掌掌紋の各部と遺留掌紋とを照合したときには、図３に示すように、照合部分の有効部分が遺留掌紋の一部と一致していても、遺留掌紋の他の部分に一致する押印全掌掌紋の部分がないため、遺留掌紋と完全に一致した押印全掌掌紋が得られず、遺留掌紋を有する者を特定することが出来ない。また、この様な場合、押印側掌掌紋の各部と遺留掌紋とを照合したときには、図４に示すように、照合部分の有効部分が遺留掌紋の一部と一致していても、遺留掌紋の他の部分に一致する押印側掌掌紋の部分がないため、遺留掌紋と完全に一致した押印側掌掌紋が得られず、遺留掌紋を有する者が出来ない。
【００２７】
しかし、この様な場合、押印結合掌紋の各部と遺留掌紋とを照合したときには、図５に示すように、照合部分の全部と遺留掌紋の全部とが一致するので、遺留掌紋を有する者を特定することができる。
【００２８】
従って、従来、遺留掌紋と押捺全掌掌紋との照合と遺留掌紋と押捺側掌との照合のみを行っていた従来例では、遺留掌紋が全掌掌紋と遺留掌紋に跨って居る場合に、遺留掌紋を有する者を特定することが出来なかったが、遺留掌紋と結合掌紋との照合も行う本発明では、遺留掌紋が全掌掌紋と遺留掌紋に跨っている場合にも、遺留掌紋を有する者を特定することができ、従って、例えば、犯人の検挙率を上げることが可能となり、治安を高めることができる。
【図面の簡単な説明】
【図１】本発明の実施形態による掌紋照合方式の構成を示すブロック図である。
【図２】本発明の実施形態による掌紋照合方法を示すフローチャートである。
【図３】遺留掌紋と押捺全掌掌紋とを照合する場合を示す図である。
【図４】遺留掌紋と押捺側掌掌紋とを照合する場合を示す図である。
【図５】本発明の実施形態による、遺留掌紋と押捺結合掌紋とを照合する場合を示す図である。
【符号の説明】
１０１  遺留掌紋読込手段
１０２  掌紋データベース
１０３  全掌掌紋照合手段
１０４  側掌掌紋照合手段
１０５  結合掌紋生成手段
１０６  結合掌紋照合手段
１０７  照合結果処理手段
【図１】
0003597139.tif 000002
【図２】
0003597139.tif 000003
【図３】
0003597139.tif 000004
【図４】
0003597139.tif 000005
【図５】
0003597139.tif 000006